(57)【要約】【課題】  振動等による緩みを防止して安全性が高く、容易に締付固定を行い得る配管用クランプを提供する。【解決手段】  配管用の一対の外鍔部31, 31を接合して外嵌する複数の円弧状掴持部材１をピン２にて枢結したクランプ本体３と、クランプ本体３の開口側の一対の突出片４ａ，４ｂを締め付けるためのボルト５及びナット６と、ナット６を螺進退させるＬ字状ハンドル７と、ハンドル７をナット６から離脱しないように、かつ、回転しないようにロックするロック手段Ｌと、を具備する。【選択図】  図１
0003113415.tif 000002
【実用新案登録請求の範囲】
【請求項１】
配管用の一対の外鍔部 (31)(31) を接合して外嵌する複数の円弧状掴持部材（１）をピン（２）にて枢結したクランプ本体（３）と、該クランプ本体（３）の開口側の一対の突出片 (４ａ)(４ｂ) を締め付けるためのボルト（５）及びナット（６）と、該ナット（６）を螺進退させるＬ字状ハンドル（７）と、該ハンドル（７）を該ナット（６）から離脱しないように、かつ、回転しないようにロックするロック手段（Ｌ）と、を具備することを特徴とする配管用クランプ。
【請求項２】
配管用の一対の外鍔部 (31)(31) を接合して外嵌する複数の円弧状掴持部材（１）をピン（２）にて枢結したクランプ本体（３）と、該クランプ本体（３）の開口側の一対の突出片 (４ａ)(４ｂ) を締め付けるためのボルト（５）及びナット（６）と、該ナット（６）を螺進退させるＬ字状ハンドル（７）と、該ハンドル（７）を該ナット（６）から離脱しないように、かつ、回転しないようにロックするロック手段（Ｌ）と、を具備し、
上記ロック手段（Ｌ）は、上記ハンドル（７）に突設されると共に係止孔（８）を有する係止用突片（９）と、該ハンドル（７）の所定取付回転位置（Ａ）にて該係止孔（８）に対して抜き差し可能となるように移動自在な係止ピン（11）と、該係止孔（８）を先端突出方向へ常時弾発付勢する弾発部材（12）と、所定の上記円弧状掴持部材（１）に突設されると共に上記係止ピン（11）を上記移動自在に保持する突出保持部（10）と、を有することを特徴とする配管用クランプ。
【請求項３】
配管用の一対の外鍔部 (31)(31) を接合して外嵌する複数の円弧状掴持部材（１）をピン（２）にて枢結したクランプ本体（３）と、該クランプ本体（３）の開口側の一対の突出片 (４ａ)(４ｂ) を締め付けるためのボルト（５）及びナット（６）と、該ナット（６）を螺進退させるＬ字状ハンドル（７）と、該ハンドル（７）を該ナット（６）から離脱しないように、かつ、回転しないようにロックするロック手段（Ｌ）と、を具備し、
上記ロック手段（Ｌ）は、上記ハンドル（７）に突設されると共に係止孔（８）を有する係止用突片（９）と、該ハンドル（７）の所定取付回転位置（Ａ）にて該係止孔（８）に対して抜き差し可能となるように移動自在な係止ピン（11）と、該係止孔（８）を先端突出方向へ常時弾発付勢する弾発部材（12）と、所定の上記円弧状掴持部材（１）に突設されると共に上記係止ピン（11）を上記移動自在に保持する突出保持部（10）と、を有し、
さらに、上記ハンドル（７）のロック状態で、上記ボルト（５）及び上記ナット（６）の軸心（Ｇ）と、上記係止ピン（11）及び上記係止孔（８）の軸心 (Ｉ)(Ｈ) とは、直交状に配設されていることを特徴とする配管用クランプ。
【考案の詳細な説明】
【技術分野】
【０００１】
本考案は、配管用クランプに関する。
【背景技術】
【０００２】
一般に、流体の配管の外鍔部が設けられた端部同士をつなぎ合わせる場合、配管クランプが使用されている。従来では、配管の一対の外鍔部を接合して外嵌する複数の円弧状掴持部材をピンにて枢結したクランプ本体と、クランプ本体の開口側の一対の突出片を締め付けるためのボルト及び蝶ナットを具備した配管クランプが知られている（例えば、特許文献１参照）。この種の配管用クランプでは、蝶ナットを指で摘んで回転させて、締付固定を行なっていた。
【特許文献１】実開平５−９００８３号公報
【考案の開示】
【考案が解決しようとする課題】
【０００３】
しかしながら、従来の蝶ナット方式の配管クランプでは、振動の激しい場所で使用される場合、締付固定後に蝶ナットが緩みやすく、配管内の流体が漏れて事故が発生しやすい状況にあった。また、蝶ナット方式では、工具を必要とせずに容易に締付固定することができる反面、力を入れにくく、締め付け力が不足するという問題点があった。
そこで、本考案は、振動等による緩みを防止して安全性が高く、容易に締付固定を行い得る配管用クランプを提供することを目的とする。
【課題を解決するための手段】
【０００４】
上述の目的を達成するために、本考案に係る配管用クランプは、配管用の一対の外鍔部を接合して外嵌する複数の円弧状掴持部材をピンにて枢結したクランプ本体と、該クランプ本体の開口側の一対の突出片を締め付けるためのボルト及びナットと、該ナットを螺進退させるＬ字状ハンドルと、該ハンドルを該ナットから離脱しないように、かつ、回転しないようにロックするロック手段と、を具備するものである。
また、配管用の一対の外鍔部を接合して外嵌する複数の円弧状掴持部材をピンにて枢結したクランプ本体と、該クランプ本体の開口側の一対の突出片を締め付けるためのボルト及びナットと、該ナットを螺進退させるＬ字状ハンドルと、該ハンドルを該ナットから離脱しないように、かつ、回転しないようにロックするロック手段と、を具備し、上記ロック手段は、上記ハンドルに突設されると共に係止孔を有する係止用突片と、該ハンドルの所定取付回転位置にて該係止孔に対して抜き差し可能となるように移動自在な係止ピンと、該係止孔を先端突出方向へ常時弾発付勢する弾発部材と、所定の上記円弧状掴持部材に突設されると共に上記係止ピンを上記移動自在に保持する突出保持部と、を有する。
【０００５】
また、配管用の一対の外鍔部を接合して外嵌する複数の円弧状掴持部材をピンにて枢結したクランプ本体と、該クランプ本体の開口側の一対の突出片を締め付けるためのボルト及びナットと、該ナットを螺進退させるＬ字状ハンドルと、該ハンドルを該ナットから離脱しないように、かつ、回転しないようにロックするロック手段と、を具備し、上記ロック手段は、上記ハンドルに突設されると共に係止孔を有する係止用突片と、該ハンドルの所定取付回転位置にて該係止孔に対して抜き差し可能となるように移動自在な係止ピンと、該係止孔を先端突出方向へ常時弾発付勢する弾発部材と、所定の上記円弧状掴持部材に突設されると共に上記係止ピンを上記移動自在に保持する突出保持部と、を有し、さらに、上記ハンドルのロック状態で、上記ボルト及び上記ナットの軸心と、上記係止ピン及び上記係止孔の軸心とは、直交状に配設されている。
【考案の効果】
【０００６】
本考案に係る配管用クランプによれば、ハンドルによって、従来の蝶ナット方式と比較して、容易にかつ強くナットを締め付けることができる。また、ナットの緩みを防止することができ、大きな振動にも耐え得る。従って、安全性の高いものとすることができる。  また、無駄がなく、取り扱いも容易な配管用クランプとすることができる。
また、一度セットすれば、後は何回脱着を繰り返しても、いつでもハンドルを所定取付け回転位置まで容易に回転させることができ、しかも、常に同じ締付トルクで装着できる。
また、係止ピンを引っ張って離すという簡単な操作でありながら確実にロックを行い得る。また、ロック手段の構造を簡単なものとすることができる。また、意思に反してロックが解除される虞れもない。
また、ハンドルのロック状態で配管用クランプ全体を上下左右に振動させたり傾けたりした場合にも、ハンドルがナットから離脱しないようにでき、より確実にナットの緩みを防止し得る。
【考案を実施するための最良の形態】
【０００７】
以下、実施の形態を示す図面に基づき本考案を詳説する。
図１〜図６に於て、本考案の実施の一形態に係る配管用クランプは、配管用の一対の外鍔部31，31を接合して外嵌する複数の円弧状掴持部材１…をピン２にて枢結したクランプ本体３と、クランプ本体３の開口側の一対の突出片４ａ，４ｂを締め付けるためのボルト５及びナット６と、ナット６を螺進退させるＬ字状ハンドル７と、ハンドル７をナット６から離脱しないように、かつ、回転しないようにロックするロック手段Ｌと、を具備している。
【０００８】
円弧状掴持部材１…は、１ａ，１ｂ，１ｃの３個とされている。また、円弧状掴持部材１ｃの両端には、夫々、ピン２にて円弧状掴持部材１ａ，円弧状掴持部材１ｂが枢結されている。これら円弧状掴持部材１ａ，１ｂ，１ｃの内周側には、略Ｖ字型乃至Ｕ字型の凹溝18が形成されている（図４参照）。そして、図１の正面図では、クランプ本体３は略Ｃ型になっており、円弧状掴持部材１ａ及び円弧状掴持部材１ｂのピン２に枢結されていない側の端部がクランプ本体３の開口側端部となっている。
突出片４ａは、上側に位置する円弧状掴持部材１ａの（ピン２にて枢結されていない側の）端部に、径方向外方へ突出状に形成されている。この突出片４ａには、上下方向（接線と平行方向）の貫孔14が形成されている。また、突出片４ａには、貫孔14の上側の開口端縁に沿って半球面凹状のナット座部16が形成されている。
突出片４ｂは、下側に位置する円弧状掴持部材１ｂの（ピン２にて枢結されていない側の）端部に、径方向外方へ突出状に形成されている。この突出片４ｂには、上下方向の貫孔15が形成されている。また、突出片４ｂには、貫孔15の下側の開口端の位置に六角凹部17が形成されている。
【０００９】
ボルト５は、配管用クランプを締付固定する際、突出片４ｂの貫孔15及び突出片４ａの貫孔14を貫通した状態とされる。また、その際、ボルト５の頭部５ａは、六角凹部17に嵌め込まれるようになっている。この頭部５ａの六角凹部17への嵌め込みにより、ボルト５の回転が阻止される。
ナット６は、配管用クランプを締付固定する際、突出片４ａの貫孔14を貫通させたボルト５と螺合するようになっている。また、ナット６は、一端にアール面取り部（半球頭面部）24を有している。このアール面取り部（半球頭面部）24は、突出片４ａの半球面凹状のナット座部16に嵌合するようになっており、ナット６の軸心合せを容易としている。
Ｌ字状のハンドル７は、長手部分が握り部７ａとされている。また、ハンドル７の短手部分の端部には、ナット６と嵌合するナット嵌合孔部13が形成され、これにより、ハンドル７は着脱自在（図１の矢印Ｂ方向）とされている。ナット嵌合孔部13は、六角状に形成されている。又は、ナット嵌合孔部13は、内周壁面が歯形となるように（つまり、ラチェットレンチ等のソケット孔状に）形成されている。
【００１０】
ここで、ロック手段Ｌは、図１及び図２に示すように、ハンドル７に突設されると共に係止孔８を有する係止用突片９と、ハンドル７の所定取付回転位置Ａ（図６参照）にて係止孔８に対して抜き差し可能となるように移動自在な係止ピン11と、係止孔８を先端突出方向（図２の矢印Ｆ方向）へ常時弾発付勢する弾発部材12と、所定の円弧状掴持部材１ａに突設されると共に係止ピン11を移動自在（図１の矢印Ｃ方向）に保持する突出保持部10と、を有している。
なお、本実施形態において、所定取付回転位置Ａとは、平面視でハンドル７の握り部７ａ方向がクランプ本体３の長手方向と略一致する位置と定義する（図６参照）。
【００１１】
より詳しくロック手段Ｌについて述べると、係止用突片９は、ハンドル７の握り部７ａの下方側に突設されている。係止孔８は、その軸心Ｈが握り部７ａ方向と同方向（平行）となるように設けられている。
係止ピン11は、鍔状の端止部19を有している。この係止ピン11は、ハンドル７のロック状態で、その軸心Ｉが係止孔８の軸心Ｈと一致するように配設されている。また、この状態において、ボルト５及びナット６の軸心Ｇと、係止ピン11及び係止孔８の軸心Ｉ，Ｈとが、直交状に配設されるようになっている。
突出保持部10は、円弧状掴持部材１ａの中央かつ径方向外方に突出状となるように設けられている。この突出保持部10は、ガイド孔部25を有しており、このガイド孔部25に係止ピン11を挿通させることによって、係止ピン11を水平方向に移動自在（図１の矢印Ｃ方向）に保持している。
また、ガイド孔部25の一方端側には、内鍔部21が形成されている。この内鍔部21は、係止ピン11の端止部19を掛止して、係止ピン11の飛び出しを防止するようになっている。
【００１２】
弾発部材12は、コイルバネから成る。この弾発部材12は、係止ピン11の端止部19に一方端が当接するように係止ピン11に外嵌される。また、弾発部材12が係止ピン11と共にガイド孔部25に挿入された状態において、弾発部材12の他方端は、ガイド孔部25の一方の開口端に取り付けられる蓋部材22に当接する。つまり、係止ピン11の端止部19と蓋部材22との間に弾発部材12が位置するようになっている。これにより、弾発部材12は、係止ピン11の先端部11ａを先端突出方向（図２の矢印Ｆ方向）へ常時弾発付勢している。
また、蓋部材22とガイド孔部25との嵌め合せ部分には、封止材23が盛られており、この封止材23によって、蓋部材22の脱落が防止されている。
【００１３】
次に、図３〜図６に基いて、本考案に係る配管用クランプの使用方法について説明する。
まず、図３及び図４に示すように、端部に外鍔部31が設けられた一対の流体の配管30, 30の端部同士を突き合せる。次に、円弧状掴持部材１ａ，１ｂ，１ｃを展開状としたクランプ本体３を、一対の外鍔部31，31に円弧状掴持部材１ａ，１ｂ，１ｃの凹溝18を嵌込むようにして、取付ける。なお、この際、凹溝18と外鍔部31，31との間にはパッキン26を挟んでおく。
次に、ボルト５を突出片４ｂの貫孔15及び突出片４ａの貫孔14に挿通させる。そして、ボルト５の頭部５ａを六角凹部17に嵌め込んだ状態で、ボルト５の先端にナット６を螺合させる。そして、ナット６のアール面取り部24がナット座部16に当接し、かつ、ナット６を指（手）の力で回せなくなるまで、ナット６を指（手）で回して締め込む。
【００１４】
次に、ハンドル７をナット６に取り付けて回転させ、さらにナット６を締め込む（図４の矢印Ｄ方向）。ハンドル７は、ロック手段Ｌを作動させるために所定取付回転位置Ａまで回転させる必要がある。また、所定の締め付け力となる位置まで回転させる必要がある。しかしながら、所定の締め付け力となる直前位置において、ハンドル７が所定取付回転位置Ａとは大きく離れた位置Ｊに存在する場合がある。
この場合、図５に示すように、一旦ハンドル７をナット６から取外し、所定取付回転位置Ａにより近い位置となるようにハンドル７の向きを変えてから、再びハンドル７をナット６に取付ける。
【００１５】
そして、係止ピン11を引っ張ってその先端部11ａを突出保持部10内にほぼ収納した状態にし（図５の矢印Ｅ方向）、その状態で、図６に示すように、ハンドル７を所定取付け回転位置Ａまでさらに回転させて締め付ける（図６の矢印Ｋ方向）。
そして、図２及び図６に示すように、係止ピン11の軸心Ｉと係止孔８の軸心Ｈとを一致させた状態において、係止ピン11の先端部11ａを係止孔８に差し込んでロックする。このロック状態では、ハンドル７は、軸心Ｇ方向の動きが規制され、かつ、回転が規制され、ナット６から外れることもない。そして、ハンドル７が回転しないことによって、ナット６も回転せず、ナット６の緩みが防止される。
。
なお、配管30の分解時やクランプ離脱時には、ナット６を緩め、上述とは逆の操作を行なえばよい。
【００１６】
なお、本考案は、上述の実施の形態に限定されず、本考案の要旨を逸脱しない範囲で設計変更可能である。例えば、本実施形態では、円弧状掴持部材１…が３個の場合を例示したが、本考案は、これに限らず、円弧状掴持部材１…を２個としたり、又は、４個以上としてもよい。
また、本実施形態では、弾発部材12は、コイルバネから成る場合を例示したが、本考案はこれに限らず、竹の子バネや板バネを用いて係止ピンを弾発付勢するようにしてもよい。
【００１７】
以上のように、本考案に係る配管用クランプは、配管用の一対の外鍔部31，31を接合して外嵌する複数の円弧状掴持部材１…をピン２にて枢結したクランプ本体３と、クランプ本体３の開口側の一対の突出片４ａ，４ｂを締め付けるためのボルト５及びナット６と、ナット６を螺進退させるＬ字状ハンドル７と、ハンドル７をナット６から離脱しないように、かつ、回転しないようにロックするロック手段Ｌと、を具備するので、ハンドル７によって、従来の蝶ナット方式と比較して、容易にかつ強くナット６を締め付けることができる。また、ハンドル７がロック手段Ｌにより位置固定されることによって、ナット６の緩みを防止することができ、大きな振動にも耐え得る。従って、安全性の高いものとすることができる。
【００１８】
また、ハンドル７は、ナット６の締め付け工具と、ナット６の緩み止め具との二つの機能を有するので、これら２つの機能を別々の部材によって得る場合と比較して、無駄がなく、取り扱いも容易である。
また、一度セットすれば、後は何回脱着を繰り返しても、いつでもハンドル７を所定取付回転位置Ａまで容易に回転させることができる。
【００１９】
また、ロック手段Ｌは、ハンドル７に突設されると共に係止孔８を有する係止用突片９と、ハンドル７の所定取付回転位置Ａにて係止孔８に対して抜き差し可能となるように移動自在な係止ピン11と、係止孔８を先端突出方向（図２の矢印Ｆ方向）へ常時弾発付勢する弾発部材12と、所定の円弧状掴持部材１（１ａ）に突設されると共に係止ピン11を移動自在に保持する突出保持部10と、を有するので、係止ピン11を引っ張って離すという簡単な操作でありながら確実にロックを行い得る。また、ロック手段Ｌの構造を簡単なものとすることができる。また、係止ピン11は、先端突出方向へ常時弾発付勢されているので、意思に反してロックが解除される虞れもない。
【００２０】
また、ハンドル７のロック状態で、ボルト５及びナット６の軸心Ｇと、係止ピン11及び係止孔８の軸心Ｉ，Ｈとは、直交状に配設されているので、ロック状態で配管用クランプ全体を上下左右に振動させたり傾けたりした場合にも、ハンドル７がナット６から離脱しないようにできる。即ち、より確実にナット６の緩みを防止し得る。
【図面の簡単な説明】
【００２１】
【図１】本考案の実施の一形態に係る配管用クランプを示す一部破断正面図である。
【図２】ロック手段を示す断面正面図である。
【図３】全体構成を示す正面図である。
【図４】配管用クランプの取付説明用の平面図である。
【図５】配管用クランプの取付説明用の平面図である。
【図６】配管用クランプの取付説明用の平面図である。
【符号の説明】
【００２２】
１，１ａ，１ｂ，１ｃ  円弧状掴持部材
２  ピン
３  クランプ本体
４ａ  突出片
４ｂ  突出片
５  ボルト
６  ナット
７  ハンドル
８  係止孔
９  係止用突片
10  突出保持部
11  係止ピン
12  弾発部材
31  外鍔部
Ａ  所定取付回転位置
Ｇ，Ｈ，Ｉ  軸心
Ｌ  ロック手段
【図１】
0003113415.tif 000003
【図２】
0003113415.tif 000004
【図３】
0003113415.tif 000005
【図４】
0003113415.tif 000006
【図５】
0003113415.tif 000007
【図６】
0003113415.tif 000008